(57)【要約】【課題】  お客が買上げた商品の中に組み合わせて使用すると問題を起こす可能性がある商品が含まれている場合にも、店員の商品知識に頼ることなく、商品登録の際にその旨を報知することができるＰＯＳレジスタを提供する。【解決手段】  入力された商品コードが組合せファイルに記憶されているかが判断される（ステップＳ１〜３）。登録商品テーブルに組合せファイルに記憶されている商品コードが記憶されているかが判断される（ステップＳ４〜５）。組み合わせて使用すると問題が起きる可能性がある旨の注意データが表示され（ステップＳ６）、該商品の登録を行うかの判断がなされ（ステップＳ７）、注意データが記憶され、商品登録が進行し、締めが行われ、精算が行われる（ステップＳ８〜１２）。記憶された注意データが該精算についてのレシートに印字される（ステップＳ１３〜１５）。【選択図】      図６
2006011905.tif 000002
【特許請求の範囲】
【請求項１】
商品毎に商品コード、価格が設定される商品ファイルと、
前記商品コードが入力されると前記商品ファイルを参照して商品登録を行う登録手段と、
複数の前記商品コードの組み合わせが設定される組合せファイルと、
取引毎に、前記登録手段によって商品登録された商品コードを記憶する登録商品記憶手段と、
前記複数の商品コードが入力されると前記組合せファイルおよび前記登録商品記憶手段を検索して、入力された複数の商品コードのうちのいずれかが前記組合せファイルに設定されている商品コードの組み合わせと一致した場合、前記組み合わせに応じた報知を行う報知手段と、
を備えることを特徴とするＰＯＳレジスタ。
【請求項２】
前記組合せファイルが商品の組み合わせ毎にメッセージを設定され、
前記報知手段が前記メッセージに基づいて前記報知を行う、
ことを特徴とする請求項１に記載のＰＯＳレジスタ。
【請求項３】
前記商品が薬であり、
前記メッセージが前記薬の組み合わせによる副作用に関するものであり、
前記報知が前記メッセージの表示あるいは、印字により行われる、
ことを特徴とする請求項２に記載のＰＯＳレジスタ。
【請求項４】
入力された複数の商品コードのうちのいずれかが前記組合せファイルに設定されている商品コードの組み合わせと一致した場合、前記登録手段に入力された商品コードを無効にする無効手段を備えることを特徴とする請求項１から請求項３のいずれかの項に記載のＰＯＳレジスタ。
【請求項５】
入力された複数の商品コードのうちのいずれかが前記組合せファイルに設定されている商品コードの組み合わせと一致した場合、前記登録手段に入力された商品コードに基づいて商品登録を行うか否かの選択操作を行う選択操作手段を備えることを特徴とする請求項１から請求項３のいずれかの項に記載のＰＯＳレジスタ。
【請求項６】
前記選択操作手段によって前記商品登録を行うことが選択操作された場合、組み合せられた商品の使用に関する注意書きをレシート用紙に印字することを特徴とする請求項５に記載のＰＯＳレジスタ。
【発明の詳細な説明】
【技術分野】
【０００１】
本発明は、主に、薬局やドラッグストアにおいて、お客が買上げた商品の代金を精算するための商品登録を行うＰＯＳ（Point  Of  Sales）レジスタに関する。
【背景技術】
【０００２】
現在、主にスーパーマーケット等の店舗にてお客が買上げた商品の登録と代金の精算用に使用されるＰＯＳレジスタは、薬局やドラッグストアにおいても使用されている。そして、薬局の商品である薬の中には、ある薬と同時に服用すると副作用を生じる可能性のある薬があり、このような薬の組み合わせについての知識が、店にとって必須のものとなってきている。
【０００３】
ところが、このような薬の組み合わせは年々増加傾向にあり、店員の負担が増す一方である。そのため、薬局、ドラッグストアにおいて、店の信用度がこうした知識の有無に依存してしまうという問題があった。また、薬に限らず、例えば、漂白剤と酸素性の洗剤とを同時に使用とすると有毒ガスが発生するという、組み合わせて使用すると問題を引き起こす可能性がある商品もあり、これについても、店員の商品知識に頼らざるを得ないという問題があった。
【０００４】
こうしたことに対応して、例えば、特許文献１には、レジスタにおいてレシートに商品登録をおこなった薬の注意事項を印字することにより、お客に誤りのない使用上の注意を促すことができるようにしたレジペーパを使用した商品使用注意指導書が記載されている。
しかし、該公報は、上述した組み合わせ使用により問題を引き起こす可能性のある商品が片方のみ登録されても、注意書きがレシートに印字されるため、お客が該注意書きを読んで、該注意書きに記載されている品種と一緒に買上げていないかを判断する必要があるという問題があった。
【特許文献１】特開２００２−１２３８７２号公報
【発明の開示】
【発明が解決しようとする課題】
【０００５】
本発明は、上記事情を考慮してなされたもので、その目的は、お客が買上げた商品の中に組み合わせて使用すると問題を起こす可能性がある商品が含まれている場合にも、店員の商品知識に頼ることなく、商品登録の際にその旨を報知することができるＰＯＳレジスタを提供することにある。
【課題を解決するための手段】
【０００６】
上記目的を達成するために、この発明では、以下の手段を提案している。
請求項１に係る発明は、商品毎に商品コード、価格が設定される商品ファイルと、前記商品コードが入力されると前記商品ファイルを参照して商品登録を行う登録手段と、複数の前記商品コードの組み合わせが設定される組合せファイルと、取引毎に、前記登録手段によって商品登録された商品コードを記憶する登録商品記憶手段と、前記複数の商品コードが入力されると前記組合せファイルおよび前記登録商品記憶手段を検索して、入力された複数の商品コードのうちのいずれかが前記組合せファイルに設定されている商品コードの組み合わせと一致した場合、前記組み合わせに応じた報知を行う報知手段とを備えることを特徴とする。
この発明によれば、報知手段が組合せファイルを検索して、入力された複数の商品コードのうちのいずれかの組み合わせが組合せファイルに設定されている商品コードの組み合わせと一致した場合、該組み合わせに応じた報知を行う。したがって、お客が買上げた商品の中に組み合わせられた場合に注意が必要な商品が含まれている場合にも、商品登録の際にその旨を報知することが可能となる。
【０００７】
請求項２に係る発明は、請求項１に記載のＰＯＳレジスタであって、前記組合せファイルが商品の組み合わせ毎にメッセージを設定され、前記報知手段が前記メッセージに基づいて前記報知を行うことを特徴とする。
この発明によれば、組合せファイルが商品の組み合わせ毎にメッセージを設定され、報知手段が該メッセージに基づいて報知を行う。したがって、組み合わされる商品によって異なるメッセージを該商品に関連付けて設定し、該メッセージに基づいて報知を行うことが可能となる。
【０００８】
請求項３に係る発明は、請求項２に記載のＰＯＳレジスタであって、前記商品が薬であり、前記メッセージが前記薬の組み合わせによる副作用に関するものであり、前記報知が前記メッセージの表示あるいは、印字により行われることを特徴とする。
この発明によれば、薬のように、組み合わせて使用する際に副作用が起こる可能性のある商品の販売において、組み合わせて使用されると副作用が起こる可能性がある組み合わせの商品を登録しようとした場合、該組み合わせに応じて設定された副作用のメッセージが表示または印字される。したがって、上記のような組み合わせの商品を登録しようとした場合、該組み合わせによる副作用の内容を表示または印字することにより報知を行うことが可能となる。
【０００９】
請求項４に係る発明は、請求項１から請求項３のいずれかの項に記載のＰＯＳレジスタであって、入力された複数の商品コードのうちのいずれかが前記組合せファイルに設定されている商品コードの組み合わせと一致した場合、前記登録手段に入力された商品コードを無効にする無効手段を備えることを特徴とする。
この発明によれば、無効手段が登録手段に入力された商品コードのうち、組合せファイルに設定されている組み合わせに該当する商品コードを無効にする。したがって、上記のような組み合わせに該当する商品の登録を行えないようにすることが可能となる。
【００１０】
請求項５に係る発明は、請求項１から請求項３のいずれかの項に記載のＰＯＳレジスタあって、入力された複数の商品コードのうちのいずれかが前記組合せファイルに設定されている商品コードの組み合わせと一致した場合、前記登録手段に入力された商品コードに基づいて商品登録を行うか否かの選択操作を行う選択操作手段を備えることを特徴とする。
この発明によれば、選択操作手段は、登録手段に入力された商品コードが組合せファイルに設定されている組み合わせに該当する場合、商品登録を行うか否かの選択操作を行う。したがって、上記のような組み合わせに該当する商品の登録を行うか否かを選択することが可能となる。
【００１１】
請求項６に係る発明は、請求項５に記載のＰＯＳレジスタであって、前記選択操作手段によって前記商品登録を行うことが選択操作された場合、組み合せられた商品の使用に関する注意書きをレシート用紙に印字することを特徴とする。
この発明によれば、組合せファイルに設定されている組み合わせに該当する商品の登録が行われた場合のみ組み合わせて使用すると問題を起こす可能性がある旨の注意書きが印字される。したがって、登録しようとする商品が上記の組み合わせに該当する商品であることが報知されても、注意書きの印字は、登録が行われた場合のみ行われるようにすることが可能となる。
【発明の効果】
【００１２】
請求項１の発明によれば、お客が買上げた商品の中に組み合わせられた場合に注意が必要な商品が含まれている場合にも、商品登録の際にその旨を報知することが可能となるので、販売店は、店員の知識のみに頼ることなく、組み合わせられた場合に注意が必要な商品を安心して販売することができる効果がある。
【００１３】
請求項２の発明によれば、組み合わされる商品によって異なるメッセージを該商品に関連付けて設定し、該メッセージに基づいて報知を行うことが可能となるので、商品の組み合わせに応じた注意事項を報知することができる効果がある。
【００１４】
請求項３の発明によれば、組み合わせて使用されると副作用が起こる可能性がある組み合わせの商品を登録しようとした場合、該組み合わせによる副作用の内容を表示または印字することにより報知を行うことが可能となるので、薬をより安全、確実に販売することができる効果がある。
【００１５】
請求項４の発明によれば、組合せファイルに設定されている組み合わせに該当する商品の登録を行えないようにすることが可能となるので、組み合わせられた場合に注意が必要な商品をお客が買上げることを未然に防ぐことができる効果がある。また、該商品の登録が禁止されることにより、該商品の登録を登録後に取消すことに比して、処理や操作を簡単且つ確実にすることができる効果がある。
【００１６】
請求項５の発明によれば、組合せファイルに設定されている組み合わせに該当する商品の登録を行うか否かを選択することが可能となるので、店は、登録しようとする商品が組み合わせられた場合に注意が必要な商品であることをお客が承知したことを確認の上、商品登録を行うことができ、安全性と操作性を両立することができる効果がある。
【００１７】
請求項６の発明によれば、登録しようとする商品が組合せファイルに設定されている組み合わせに該当する商品であることが報知されても、注意書きの印字は、登録が行われた場合のみ行われるようにすることが可能となるので、必要な場合のみ該印字を行うことができる効果がある。また、注意が必要なことを承知で買上げたお客に確実に注意内容を連絡できる効果がある。また、組み合わせられた場合に注意が必要な商品であることを承知して該商品を買上げたお客に対して、確実に注意内容を伝達できる効果がある。
【発明を実施するための最良の形態】
【００１８】
以下、図面を参照し、この発明の実施の形態について説明する。
図１は、本発明の一実施形態によるＰＯＳレジスタ１の外観を示す図であって、図１（ａ）は正面図、図１（ｂ）は側面図である。ＰＯＳレジスタ１は表示画面に触れて様々な入力を行う液晶タッチパネル１１２と、商品登録と精算に関して使用頻度の高いファンクションキー、テンキー、締めキーとして現計キー１１４ａ等が設けられているキー操作部１１４とを主な構成とする。キー操作部１１４には、選択ＹＥＳキー１１４ｂ（選択操作手段）と、選択ＮＯキー１１４ｃ（選択操作手段）とが割り付けられている。ここで、選択ＹＥＳキー１１４ｂと、選択ＮＯキー１１４ｃとは、後述するように、組み合わせて使用すると問題を起こす可能性がある商品の登録を行うか否かを選択するキーのことをいう。
【００１９】
また、ＰＯＳレジスタ１は、内蔵しているレシート印字部によって印刷されるレシートが出てくるレシート発行口１０９と、商品に付された商品番号を示すバーコードを読み取って商品登録を行うためのスキャナ部１１０（図示省略）と、お客に買上げ商品名や買上げ価格、買上げ合計金額等を表示する客用表示部１１６と、カードによる買い物があったときに使用されるカードリーダ部１１８とを周辺装置として備えている。
【００２０】
尚、本実施形態において、液晶タッチパネル１１２および客用表示部１１６は、後述するように、商品登録において組み合わせて使用すると問題を起こす可能性がある商品が含まれている場合、起こり得る問題の内容を注意データとして表示して、組み合わせて使用すると問題を起こす可能性がある商品が登録しようとしている商品の中に含まれている旨の報知を行う。
【００２１】
図２は、ＰＯＳレジスタ１の構成を示すブロック図である。図２において、ＰＯＳレジスタ１は、ＰＯＳレジスタ１各部を制御するＣＰＵ１００（登録手段）（報知手段）（無効手段）（選択操作手段）と、ＣＰＵ１００で実行されＰＯＳレジスタ１の各種機能を実現するためのプログラム、ＰＬＵ（Price  Look  Up）ファイル５１（商品ファイル）、組合せファイル５２を含む各種ファイル、ＰＯＳレジスタ１で発生した実績データ等を記録するハードディスク部１０２と、ＣＰＵ１００が動作するためのフラグ、レジスタを記憶するエリアや、登録商品テーブル５３（登録商品記憶手段）を記憶するエリアを有するＲＡＭ（Random  Access  Memory）１０４と、レシートを印字するレシート印字部１０８と、スキャナ部１１０と、液晶タッチパネル１１２と、キー操作部１１４と、客用表示部１１６と、カードリーダ部１１８とから構成される。これらは、バスライン１２０を介して相互に接続されている。
【００２２】
尚、本実施形態においては、レシート印字部１０８は、後述するように、商品精算において組み合わせて使用すると問題を起こす可能性がある商品が含まれている場合、起こり得る問題の内容を注意データとしてレシートに印字して、お客に該問題の内容の連絡を行う。
【００２３】
図３は、ＰＬＵファイル５１の内容を示す表である。ＰＬＵファイル５１には、商品コード、品名、価格等を予め記憶させる。
【００２４】
図４は、組合せファイル５２の内容を示す表である。組合せファイル５２には、組み合わせて使用すると問題を起こす可能性がある商品の組み合わせを設定する。例えば、上記の組み合わせの商品の商品コードを商品コード１、商品コード２として、該商品コードと共に、商品コード１の商品と商品コード２の商品とを組み合わせて使用した場合に起こる可能性がある問題の内容を示すメッセージを予め記憶させる。
【００２５】
図５は、登録商品テーブル５３の内容を示す表である。登録商品テーブル５３には、お客の取引中において登録されたデータを、商品単位にて記憶させる。例えば、登録商品テーブル５３には、商品コード、価格等を記憶する。
【００２６】
次に、上記実施形態によるＰＯＳレジスタ１の薬局においての会計の動作を図６に示すフローチャートを参照して説明する。
先ず、店員によって、ＰＯＳレジスタ１の電源が投入され、ＰＯＳレジスタ１が起動し、液晶タッチパネル１１２およびキー操作部１１４の操作キーの操作を受け付ける状態になる。
【００２７】
次に、店員が、お客の買上げた商品のバーコードをスキャナ部１１０によってスキャンして、商品コードがＣＰＵ１００に入力されたか否かが判断される（ステップＳ１）。判断が「ＮＯ」であった場合、スタートに戻り、判断が「ＹＥＳ」となるまで、ステップＳ１の処理を繰り返す。一方、判断が「ＹＥＳ」であった場合、ステップＳ２に移行する。
【００２８】
次に、組合せファイル５２が検索され（ステップＳ２）、ステップＳ１において入力された商品コードが、組合せファイル５２の商品コード１あるいは商品コード２の欄に記憶された商品コードのいずれかと一致するかが判断される（ステップＳ３）。判断が「ＮＯ」であった場合、ステップＳ９へ移行する。
【００２９】
一方、ステップＳ３における判断が「ＹＥＳ」であった場合、組合せファイル５２において、該当する商品コード１あるいは商品コード２に対応する商品コード２あるいは商品コード１の欄に記憶されている商品コードおよびメッセージの欄に記憶されているデータが読み出される。次に、商品登録テーブル５３が検索され（ステップＳ４）、前記商品コード２あるいは商品コード１の欄から読み出された商品コードと一致するかが判断される（ステップＳ５）判断が「ＮＯ」であった場合、ステップＳ９へ移行する。
【００３０】
一方、ステップＳ５における判断が「ＹＥＳ」であった場合、ステップＳ１において入力された商品コードの品名と、ステップＳ５において組合せファイル５２の商品コード２あるいは商品コード１欄内および商品登録テーブル５３の商品コード欄内の商品コードのうち、両者に共通する商品コードの品名が、ＰＬＵファイル５１から読み出される。そして、対応するメッセージと共に注意データとして編集されて、液晶タッチパネル１１２および客用表示部１１６に表示される（ステップＳ６）。ここで、ステップＳ１において、「かぜ薬Ａ」の商品コードが入力され、組合せファイル５２の商品コード２の欄に、「痛み止Ｂ」の商品コードが記憶され、メッセージの欄に「○×△の副作用があります。」というデータが記憶されているとすると、「かぜ薬Ａと痛み止Ｂとでは、○×△の副作用があります。」という表示データが編集され、該表示データが注意データとして液晶タッチパネル１１２および客用表示部１１６に表示される。そして、店員は、該注意データの内容をお客に説明し、お客に該商品の登録を行うか否かを聞いて、それに対するお客の回答を待つ。
【００３１】
次に、お客が該商品の登録を行うと回答したか否かが選択ＹＥＳキー１１４ｂ、あるいは選択ＮＯキー１１４ｃのいずれかが操作されたかにより判断される（ステップＳ７）。判断が「ＮＯ」であった場合、ステップＳ１にて入力された商品コードを無効にすべく、ステップＳ１に戻り、ステップＳ１以降の処理を繰り返す。一方、ステップＳ７における判断が「ＹＥＳ」であった場合、該注意データをＲＡＭ１０４内に設けられた注意データエリア（図示せず）に記憶する（ステップＳ８）。
【００３２】
次に、ステップＳ１において入力された商品コードおよびＰＬＵファイル５１に基づいて商品登録が行われる（ステップＳ９）。次に、該商品コードと該商品の価格とを登録商品テーブル５３に記憶する（ステップＳ１０）。次に、現計キー１１４ａが押されたか、すなわち、締め操作が行われたか否かが判断される（ステップＳ１１）。判断が「ＮＯ」であった場合、ステップＳ１に戻り、ステップＳ１以降の処理を繰り返す。
【００３３】
一方、ステップＳ１１における判断が「ＹＥＳ」であった場合、代金の精算が行われる（ステップＳ１２）。そして、以下のステップにおいて、レシート印字部１０８によって図７に示すようなレシート６１の「合計」までの買上明細の印字が行われる。
【００３４】
すなわち、ステップＳ１３において、レシート６１が印字される。レシート６１には、日付、扱い者、商品名、価格、合計、店名が印字される。次に、レシート６１の合計と店名の間に印字すべき注意データＮ１が、前述した注意データエリアに記憶されているか否かが判断される（ステップＳ１４）。つまり、今回の取引において、組みわせて使用すると問題を起こす可能性かある商品が含まれているか否かが判断される。判断が「ＮＯ」であった場合、印字すべき注意データが注意データエリアにないため、「○○薬局」の印字を行ってレシート６１の印字は完了し、レシート６１がレシート発行口１０９から発行され、会計の処理が終了する。
【００３５】
一方、ステップＳ１４における判断が「ＹＥＳ」であった場合、注意データＮ１が注意データエリアから読み出され、該データに基づいて注意データＮ１がレシート印字部１０８によって図７のようにレシート６１に印字され、レシート発行口１０９から発行され、会計の処理が終了する。
【００３６】
本発明によれば、薬局において、お客が買上げた薬の中に組み合わせて使用すると副作用を起こす可能性がある薬が含まれている場合にも、商品登録の際にその旨を報知することができる。また、お客が該報知を受けて、その薬を購入するか否かを選択することができる。また、その後の商品登録において、レシート６１にその副作用の内容を注意書きとして印字することができるので、販売店は、店員の知識のみに頼ることなく、組み合わせて使用すると副作用を起こす可能性がある薬について、その副作用の内容をお客に正しく伝達することができ、該薬を安心して販売することができる。
【００３７】
尚、ＰＯＳレジスタ１単体にて、商品の組合せ上の不都合のチェックを行うものに限らず、次のようにシステムを構成してもよい。すなわち、ＰＯＳレジスタ１が複数設置され、ある一台が親機、その他が子機となるいわゆるマスターサテライトシステムやストアコントローラを接続するシステムを構成し、各サテライトレジスタ（子機）に入力された商品コードをマスター機、あるいはストアコントローラに送信して商品の組合せ上の不都合のチェックを行わせ、各サテライトレジスタが、通信によって該チェックの結果を受信するようにして本発明と同様の効果を得られるようにしてもよい。
【００３８】
また、本実施形態においては、組合せファイル５２に商品コード１と商品コード２とメッセージとを対応させて記憶する構成としたが、商品コード２の欄に、商品コード１の商品と組み合わせて使用する場合に起こり得る問題が共通する複数の商品コードをカンマ等の区切りコードを挿入して記憶してもよい。この場合、図６のフローチャートにおけるステップＳ３の処理において、商品コード２の欄に記憶されている全ての商品コードが読み出され、ステップＳ５の処理において、商品登録テーブル５３に記憶されている商品コードと商品コード２の欄から読み出された全ての商品コードのいずれかとが、一致するか否かが判断されることが必要となる。
【００３９】
また、図６のフローチャートにおいて、ステップＳ７における、「選択操作」に代えて、商品登録において、組み合わせて使用すると問題が起こる可能性がある組合せの商品が含まれている場合、注意データを液晶タッチパネル１１２および客用表示器１１６に表示後に必ず、ステップＳ１に戻り、該商品の登録を行わないようにしてもよい。
【００４０】
また、対象とする商品は、薬に限らず、例えば、塩素系漂白剤と酸素系漂白剤との組合せでもよい。つまり、同時に使用した場合に問題が起こる可能性がある全ての商品の販売について、本発明を適用することができる。
【００４１】
以上、本発明の実施形態について図面を参照して詳述したが、具体的な構成はこの実施形態に限られるものではなく、本発明の要旨を逸脱しない範囲での設計変更も含まれる。
【図面の簡単な説明】
【００４２】
【図１】本発明の一実施形態におけるＰＯＳ（Point  Of  Sales）レジスタ１の正面図および側面図である。
【図２】同実施形態におけるＰＯＳレジスタ１の構成を示すブロック図である。
【図３】同実施形態におけるＰＬＵ（Price  Look  Up）ファイル５１の内容を示す表である。
【図４】同実施形態における組合せファイル１５２の内容を示す表である。
【図５】同実施形態における登録商品テーブル５３の内容を示す表である。
【図６】同実施形態におけるＰＯＳレジスタ１内のＣＰＵ１００の薬局においての会計の動作を示すフローチャートである。
【図７】同実施形態におけるレシート６１の内容を示す図である。
【符号の説明】
【００４３】
１・・・ＰＯＳ（Point  Of  Sales）レジスタ、５１・・・ＰＬＵ（Price  Look  Up）ファイル（商品ファイル）、５２・・・組合せファイル、５３・・・登録商品テーブル（登録商品記憶手段）、６１・・・レシート、１００・・・ＣＰＵ（登録手段）（報知手段）（無効手段）（選択操作手段）、１０２・・・ハードディスク部、１０４・・・ＲＡＭ（Random  Access  Memory）、１０８・・・レシート印字部、１０９・・・レシート発行口、１１０・・・スキャナ部、１１２・・・液晶タッチパネル、１１４・・・キー操作部、１１４ａ・・・現計キー、１１４ｂ・・・選択ＹＥＳキー（選択操作手段）、１１４ｃ・・・選択ＮＯキー（選択操作手段）、１１６・・・客用表示部、１１８・・・カードリーダ部、１２０・・・バスライン
【図１】
2006011905.tif 000003
【図２】
2006011905.tif 000004
【図３】
2006011905.tif 000005
【図４】
2006011905.tif 000006
【図５】
2006011905.tif 000007
【図６】
2006011905.tif 000008
【図７】
2006011905.tif 000009